(57)【特許請求の範囲】
【請求項１】
左右方向に延びるラック列の片側に閉塞空間を形成するために、各ラックの天井面と床面との間に設けられるラックの片側空間閉塞装置であって、一端がラックの天井面に支持され、奥行寸法を可変とした天井パネルと、この天井パネルの他端に連結された正面パネルとからなり、これらのパネルを左右方向に密接配置し、左右方向に連続する閉鎖空間を形成したことを特徴とするラックの片側空間閉塞装置。
【請求項２】
天井パネルは複数のパネル部材から構成され、これらのパネル部材を重ね合わせることにより天井パネルの奥行き寸法を可変としたことを特徴とする請求項１記載のラックの片側空間閉塞装置。
【請求項３】
伸長時における天井パネルの奥行き寸法が、ラックの天井面の奥行き寸法よりも長いものであることを特徴とする請求項１または２に記載のラックの片側空間閉塞装置。
【発明の詳細な説明】
【技術分野】
【０００１】
本発明は、データセンター等において列状に配置されたラックの冷却効率を高めるために用いられるラックの片側空間閉塞装置に関するものである。
【背景技術】
【０００２】
データセンター等においては、サーバやその付属機器を搭載した多数のラックを列状に配置し、対向するラック列間の床面に設けられた冷気供給口からラック前面側に冷却空気を供給し、ラックの内部を通過させてラック背面側から排熱空気として排気する冷却システムが採用されている。この冷却システムにおいては、冷却効率を高めるために、互いのラック列の冷却空気を取り込む前面側を対向して配置した上、冷却空気と排熱空気とが混ざらないように、ラックの通路間を閉塞するような区画を形成することがある。そこで、例えば特許文献１に示されるように、対向するラック列間の通路の上部に遮蔽板を架け渡すことにより、通路内の空間を閉塞し、その上方空間と区画して空気の流動を規制している。
【０００３】
このようにラック列間の通路に冷却空気と排熱空気とを区画するような閉塞空間を形成すれば、多数のラックを効率よく冷却することができ、またこの通路を利用して保守点検作業も行い易いという利点がある。
【０００４】
ところが、実際には前述のようにラック前面側が対向して配置されるとは限らない。対向するラック列が存在しない端部のラック列の場合や、対向するラック列の長さが異なる場合、ラック列の前面側が互いに対向して配置されていない場合には、特許文献1のようにラック列間の通路に閉塞空間を形成することができない。そこで、対向するラックの有無に関わりなくラックの片側の空間を閉塞できる構造が求められているのであるが、通路の幅や床面の冷気供給口の配置に合わせた位置調整が可能でなければならない。また、冷却空気の風量に応じ、ラックの片側に形成される閉塞空間の大きさ（容量）も可変であることが望まれる。
【０００５】
閉塞空間の大きさを可変とするためには、ラックの天井部にスライド可能な天井パネルを設置することも考えられるが、ラックの天井面を覆ってしまうことでラックの天井面からのケーブルの引き込みの障害になるという問題があるうえ、ラック奥行き寸法が比較的短い場合には、天井パネルの長さがラックの奥行き寸法よりも長くなり、正面パネルをラックの奥行き方向に押し込むと、天井パネルの端部がラックの天井からはみ出してしまい、排熱空気の流動を妨げて熱溜りを形成するなどの問題もあった。しかし、これらの要求を満足できるものはこれまで提案されていない。
【先行技術文献】
【特許文献】
【０００６】
【特許文献１】特許第３８３５６１５号公報
【発明の概要】
【発明が解決しようとする課題】
【０００７】
従って本発明の目的は、対向するラック列の有無や配置状況に関わらず、その片側に閉塞空間を形成することができ、床面の冷気供給口の配置や通路幅などに対応させて位置調整が可能であり、閉塞空間の大きさが可変であり、しかもラックの天井面からのケーブルの引き込みにも支障がなく、熱溜りを発生させたりすることのないラックの片側空間閉塞装置を提供することである。
【課題を解決するための手段】
【０００８】
上記の課題を解決するためになされた本発明は、左右方向に延びるラック列の片側に閉塞空間を形成するために、各ラックの天井面と床面との間に設けられるラックの片側空間閉塞装置であって、一端がラックの天井面に支持され、奥行寸法を可変とした天井パネルと、この天井パネルの他端に連結された正面パネルとからなり、これらのパネルを左右方向に密接配置し、左右方向に連続する閉鎖空間を形成したことを特徴とするものである。
【０００９】
なお、天井パネルは複数のパネル部材から構成され、これらのパネル部材を重ね合わせることにより天井パネルの奥行き寸法を可変とすることが好ましい。また、伸長時における天井パネルの奥行き寸法が、ラックの天井面の奥行き寸法よりも長くなるような場合に用いることが好ましい。
【発明の効果】
【００１０】
本発明のラックの片側空間閉塞装置は、一端がラックの天井面に支持された天井パネルと、この天井パネルの他端に連結された正面パネルとからなるものであり、これらのパネルによってラックの片側空間を閉塞し、冷却効率を高めることができる。また天井パネルの奥行き寸法を可変としたので、ラック天井面からの正面パネルの張出し位置を自由に変えることができ、通路幅などに対応させて片側空間を設定することができる。しかも天井パネルの奥行き寸法を可変としたことにより、ラックの天井面が天井パネルによって覆われる部分が少なくなり、ラックの天井面からのケーブルの引き込みにも支障がなくなるうえ、天井パネルの端部がラックの天井からはみ出して熱溜りを形成することも防止することができる。さらに本発明のラックの片側空間閉塞装置は、左右方向に延びるラック列の片側に連続した閉塞空間を形成することができる。
【図面の簡単な説明】
【００１１】
【図１】天井パネルの伸長状態を示す斜視図である。
【図２】天井パネルの伸長状態を示す背面からの斜視図である。
【図３】天井パネルの折り畳み状態を示す斜視図である。
【図４】天井パネルの伸長状態を示す断面図である。
【図５】天井パネルの伸長状態を示す斜視断面図である。
【図６】天井パネルの折り畳み状態を示す断面図である。
【図７】天井パネルの部分断面図である。
【図８】固定部材への取り付け状態を示す斜視図である。
【図９】正面パネルの角度調節機構を示す斜視図である。
【図１０】他の実施形態を示す斜視図である。
【発明を実施するための形態】
【００１２】
以下に本発明の実施形態を説明する。
図１、図２はラック１の正面側に閉塞空間を形成した状態を示す斜視図である。図面では単一のラック１のみを示しているが、実際にはラック１は左右方向に密接配置されてラック列を構成し、以下に説明するラックの片側空間閉塞装置も左右方向に密接配置されて左右方向に連続する閉塞空間を形成するものである。また２は通路の床面であり、床下から供給される冷却空気の供給口が配設されている（不図示）。
【００１３】
本発明のラックの片側空間閉塞装置は、一端がラック１の天井面３に水平に支持された天井パネル４と、この天井パネル４の他端に連結された正面パネル５とからなるものである。天井パネル４はポリカーボネート樹脂等の透明板をアルミニウム等の金属製の枠部６で囲って形成されたもので、透明としたのは内部が暗くなることを防止するためである。
【００１４】
この天井パネル４は複数枚に分割された構造であり、本実施形態では３枚のパネル部材４ａ〜４ｃに分割されている。図４以下に示すように、各パネル部材４ａ〜４ｃは側面および後面がコ字状となった枠部６ａ〜６ｃと、その内部にはめ込まれた透明板７ａ〜７ｃから構成され、入れ子構造となっている。すなわち、図示されるように基端側の第１のパネル部材４ａの内部に中間の第２のパネル部材４ｂが配置され、この第２のパネル部材４ｂの内部に、先端側の第３のパネル部材４ｃが配置されている。４ａ〜４ｃは、それぞれ所要の引き出し位置で枠部６に設けた固定ボルト１８により固定できるようになっている。
【００１５】
また図７に示されるように、第１のパネル部材４ａの先端と第２のパネル部材４ｂの先端には下向屈曲部８が形成され、第２のパネル部材４ｂと第３のパネル部材４ｃの基端には上向屈曲部９が形成され、相互間の脱落を防止している。また下向屈曲部８の内側にはパッキン１０が設けられ、冷気の漏れを防止している。このように、３枚のパネル部材４ａ〜４ｃは伸縮可能な入れ子構造となっている。３枚のパネル部材４ａ〜４ｃの奥行き寸法を揃えておけば、図３に示すように最小寸法に折り畳むことができる。また図４に示すように伸長させることもできる。このような折り畳み構造を採用することにより、最大伸長時における天井パネル４の奥行き寸法を、ラック１の天井面３の奥行き寸法よりも長くすることができる。
【００１６】
第１のパネル部材４ａの基端側は、図８に示されるようにラック１の天井面３に取付けられた固定金具１１に制震部材１２を介して固定されている。制震部材１２は硬質ゴム板などの弾性材料からなり、固定金具１１にねじ止めされている。また第１のパネル部材４ａの基端が、制震部材１２の上半部にねじ止めされている。このように固定金具１１との間に制震部材１２を介在させることにより、地震震動によるラック１の変位量と、天井パネル４及び正面パネル５からなる閉塞装置との変位量の違いを吸収する制震機能を備えることができる。
【００１７】
図１などに示されるように、固定金具１１はラック１の端部に近い位置に設けておくことが好ましい。これによってラック１の天井面３が天井パネル４によって覆われる部分が少なくなり、ラック１の天井面３からのケーブルの引き込みにも支障がなくなる。
【００１８】
第３のパネル部材４ｃの先端には、正面パネル５が接続されている。正面パネル５もポリカーボネート樹脂等の透明板をアルミニウム等の金属枠１３で囲って形成されたものである。この実施形態では正面パネル５は第３のパネル部材４ｃの先端に垂直下向きに取付けられているが、ヒンジ機構によって回動可能とするとともに、図９に示すように角度調節部材１４によって、天井パネル４に対する正面パネル５の角度を任意に設定できるようにすることもできる。なお図９の角度調節部材１４は、正面パネル５の上側コーナー部の円弧状板１５と、天井パネル４のコーナー部の三角板１６とを重ね合わせ、２本のボルト１７により止める構造である。正面パネル５の下端は床面２に達している。
【００１９】
図１に示すように、この実施形態においては、正面パネル５の下端にスライド可能な閉塞部材３０が設けられている。この閉塞部材３０は硬質ゴム板からなる遮蔽部材３１と、この遮蔽部材３１を正面パネル５の下端にスライド可能に取付けるスライド部材３２とからなる。スライド部材３２は正面パネル５の金属枠１３の裏側の縦溝にナットをスライド自在に挿入しボルトにより固定されるもので、ボルトを緩めることにより上下方向にスライド可能である。これにより正面パネル５の下端を通路２の床面に密着させることができる。なお、スライド部材３２の下端部にキャスター３３を取付けることができる。これにより正面パネル５の位置調整が容易になり、震動吸収効果も高めることができる。
【００２０】
このように構成された本発明のラックの片側空間閉塞装置は、図１に示すように天井パネル４を伸長させてラック１からの突出量を大きくしたり、あるいは図３に示すように天井パネル４を折り畳んでラック１からの突出量を小さくしたりして使用することができる。このため、正面パネル５の下端位置を通路の幅や床面２の冷却空気の供給口の位置に対応させて自由に設定することができる。これによりラック列の片側に閉塞空間を形成することができるので、対向するラック列がない場合やラック列の前面側が互いに対向して配置されていない場合にも、冷却空気と排熱空気とが混ざることがなくなり、冷却効率を高めることが可能となる。
【００２１】
また本発明のラックの片側空間閉塞装置は、天井パネル４の奥行き寸法を可変としたので、一時的に折り畳めばその前面で作業をしたり、前面にラックがあるような場合にその扉を開いたりする場合に正面パネル５が邪魔になることがない。またラックの奥行き寸法が短い場合であっても、ラック１の奥行き寸法以上の通路の幅の閉塞空間を形成することも可能である。しかも天井パネル４を大型化しても、ラック１の反対側に天井パネル４が突出することもなく、熱溜りが発生することがない。
【００２２】
以上に説明した実施形態では、天井パネル４を複数のパネル部材４ａ〜４ｃから構成し、これらのパネル部材４ａ〜４ｃを重ね合わせることにより天井パネル４の奥行き寸法を可変とした。しかし図１０に示すように天井パネル４を複数のパネル部材４ｄ、４ｅから構成し、それらをヒンジ４０により接続することもできる。この場合には、ラック１の天井面３の左右両側にガイドレール４２を設け、下側のパネル部材４ｄ及び上側のパネル部材４ｅをこのガイドレール４２の上面に位置調節自在に固定できる構造としておく。
【００２３】
具体的には、ガイドレール４２の前端部に支持腕部４１を設けておき、パネル部材４ｄ、４ｅをボルト等の締結手段によって任意の位置で固定できるようにしておく。正面パネル５を手前側に引き出したい場合には、図１０に示すように、上側のパネル部材４ｅをパネル部材４ｄと同一平面となるように１８０度に開き、上側のパネル部材４ｅを支持腕部４１に固定し、下側のパネル部材４ｄをラック１の端面から完全に引き出す。このような構造とすれば、ラック１の奥行き寸法よりも大きく天井パネル４を引き出すことができるので、ラック１の奥行き寸法が短い横長のラックにも適用可能である。また、正面パネル５をラック１の奥行き方向に押し込む場合には、パネル部材４ｅを回転させてパネル部材４ｄと重ね合わせれば、ラック１の背面側の天井面より配線を引き込む場合においても障害となることはない。
【００２４】
なお、上記実施形態の変形例として、天井パネルの枠部６をレール部材で構成し、パネル部材同士をスライド自在に接続したものとしてもよい。さらに、パネル部材４ｄからパネル部材４ｅを着脱自在として天井パネルの奥行き寸法を可変とする構造としてもよい。
【００２５】
以上に説明したように、本発明のラックの片側空間閉塞装置によれば、ラック１の片側空間を閉塞し、冷却効率を高めることができる。また天井パネル４の奥行き寸法を可変としたので、ラック１の天井面３からの正面パネル５の張出し位置を自由に変えることができ、通路幅に対応させて片側空間を設定することができるうえ、ラック１の天井面３が天井パネル４によって覆われる部分が少ないため、ラック１の天井面３からのケーブルの引き込みにも支障がなくなり、また天井パネル４の端部がラック１の天井面３からはみ出して熱溜りを形成することもないなどの多くの利点がある。
【符号の説明】
【００２６】
１  ラック
２  床面
３  天井面
４  天井パネル
５  正面パネル
６  枠部
７  透明板
８  下向屈曲部
９  上向屈曲部
１０  パッキン
１１  固定金具
１２  制震部材
１３  金属枠
１４  角度調節部材
１５  円弧状板
１６  三角板
１７  ボルト
１８  固定ボルト
３０  閉塞部材
３１  遮蔽部材
３２  スライド部材
３３  キャスター
４０  ヒンジ
４１  支持腕部
４２  ガイドレール
【図６】
0005732647.tif 000002
【図７】
0005732647.tif 000003
【図８】
0005732647.tif 000004
【図１】
0005732647.tif 000005
【図２】
0005732647.tif 000006
【図３】
0005732647.tif 000007
【図４】
0005732647.tif 000008
【図５】
0005732647.tif 000009
【図９】
0005732647.tif 000010
【図１０】
0005732647.tif 000011